(57)【要約】【課題】  視聴者が表示装置を見ているときに、表示装置に表示された表示を省電力で表示させることはできなかった。【解決手段】  本発明の表示装置は、映像を所定の表示面に表示する表示手段と、前記表示手段の前に位置する人物を撮像して生成した画像データを出力する撮像手段と、前記画像データから求めた前記人物の視線を示す情報を出力する解析手段と、前記表示面のうち、前記人物の視線との交点を内部に含む所定の大きさである第一の範囲に映像表示するよう前記表示手段を制御し、前記第一の範囲以外の第二の範囲を前記第一の範囲よりも少ない電力で動作させるよう前記表示手段を制御する表示範囲決定手段とを有することを特徴とする。【選択図】      図２
2015122711.tif 000002
【特許請求の範囲】
【請求項１】
映像を所定の表示面に表示する表示手段と、
前記表示手段の前に位置する人物を撮像して生成した画像データを出力する撮像手段と、
前記画像データから求めた前記人物の視線を示す情報を出力する解析手段と、
前記表示面のうち、前記人物の視線との交点を内部に含む所定の大きさである第一の範囲に映像表示するよう前記表示手段を制御し、前記第一の範囲以外の第二の範囲を前記第一の範囲よりも少ない電力で動作させるよう前記表示手段を制御する表示範囲決定手段と、
を有する表示装置。
【請求項２】
前記解析手段は、前記人物の眼球部の画像データを解析し、前記人物の眼球の方向を解析することを特徴とする請求項１に記載の表示装置。
【請求項３】
前記解析手段は、前記人物の顔部の画像データを解析し、前記人物の顔の方向を解析することを特徴とする請求項１または２に記載の表示装置。
【請求項４】
前記表示手段は、前記人物を取り囲む形状であることを特徴とする請求項１乃至３のいずれかに記載の表示装置。
【請求項５】
前記人物の位置を検出する重量センサを有し、前記表示範囲決定手段は、前記重量センサより得られる前記人物の位置情報に基づいて前記表示手段の第一の範囲および前記第二の範囲を制御することを特徴とする請求項１乃至４のいずれかに記載の表示装置。
【請求項６】
刺激発生手段を更に有し、前記表示範囲決定手段は、前記刺激発生手段が発生する刺激に合わせて、前記第一の範囲と前記第二の範囲とを切り替えることを特徴とする請求項１乃至５のいずれかに記載の表示装置。
【請求項７】
映像を所定の表示面に表示する表示ステップと、
人物を撮像して生成した画像データを出力する撮像ステップと、
前記画像データから求めた前記人物の視線を示す情報を出力する解析ステップと、
前記表示面のうち、前記人物の視線との交点を内部に含む所定の大きさである第一の範囲に映像表示するよう制御し、前記第一の範囲以外の第二の範囲を前記第一の範囲よりも少ない電力で動作させるよう制御する表示範囲決定ステップと、
を有する表示方法。
【請求項８】
前記表示範囲決定ステップは、発生する刺激に合わせて、前記第一の範囲と前記第二の範囲とを切り替えることを特徴とする請求項７に記載の表示方法。
【請求項９】
映像を所定の表示面に表示する表示処理と、
人物を撮像して生成した画像データを出力する撮像処理と、
前記画像データから求めた前記人物の視線を示す情報を出力する解析処理と、
前記表示面のうち、前記人物の視線との交点を内部に含む所定の大きさである第一の範囲に映像表示するよう制御し、前記第一の範囲以外の第二の範囲を前記第一の範囲よりも少ない電力で動作させるよう制御する表示範囲決定処理と、
をコンピュータに実行させる表示プログラム。
【請求項１０】
前記表示範囲決定処理は、発生する刺激に合わせて、前記第一の範囲と前記第二の範囲とを切り替えることを特徴とする請求項９に記載の表示プログラム。
【発明の詳細な説明】
【技術分野】
【０００１】
本発明は、表示装置、表示方法および表示プログラムに関する。
【背景技術】
【０００２】
近年、環境への配慮から、各種の電気機器の省電力化が積極的に行われている。
【０００３】
特許文献１は、省電力化が要求される各種ＡＶ機器、携帯型機器およびゲーム機器などに用いられ、多段階の階調表示を行う液晶表示駆動装置を開示している。特許文献１記載の発明では、階調表示用コントローラ１２は、液晶表示素子１１に印加すべき駆動電圧を、液晶駆動用ドライバＩＣ１３を介して制御する。次に、表示状況および表示内容情報などを含む表示パターンに応じて、フレーム間引きによる階調表示、パルス幅変調による階調表示および、両階調表示方式を併用した多段階の階調表示のうち、何れの階調表示を行うかを選択する。次に、この選択した階調表示方式を識別する階調方式切替信号を液晶駆動用ドライバＩＣ１３に送出する。そして、階調表示方式切替信号により、選択されている階調表示方式に従った階調表示データに変調して、階調表示データを駆動電圧として液晶表示素子１１に送出する。
【０００４】
特許文献２は、放送中の番組を録画しながら視聴することのできる自動録画機能付きの放送信号受信システムを開示している。特許文献２記載の発明では、カメラ部２５はテレビジョン受像機前の視聴者を撮影する。個人認証部２６はカメラ部２５の撮影画像から顔画像を検出し、この検出された顔画像から視聴者の目の開閉状態を判別する。個人認証部２６は、視聴者の目は閉じていると判別した場合、制御部１８に居眠検出信号を送信する。居眠検出信号を受信した制御部１８は、視聴者がテレビジョン受像機の前で居眠り状態であると判断し、テレビジョン受像機を省電力モード（ＴＶモニタ１５の表示をオフ）にする。
【先行技術文献】
【特許文献】
【０００５】
【特許文献１】特開２００３−２１６１２２号公報
【特許文献２】特開２００６−２１１０６１号公報
【発明の概要】
【発明が解決しようとする課題】
【０００６】
特許文献１に記載された発明は、液晶表示画面に表示される表示パターンに合わせて、表示方式を切り替えることで、表示品位を維持または向上させつつ省電力化および長動作を実現できる液晶表示駆動装置を提供するものである。
【０００７】
しかし、特許文献１記載の発明は、表示パターンに合わせて表示方式を切り替えるのみであり、表示パターンを見ている視聴者の状況に応じて表示方式を切り替えるものではなかった。
【０００８】
それに対し、特許文献２に記載された発明では、視聴者がＴＶモニタを見ているか見ていないかを判別し、ＴＶモニタを見ていないと判別した場合、ＴＶモニタの表示をオフにしてＴＶモニタを省電力動作させている。しかし、特許文献２記載の発明では、視聴者がＴＶモニタを見ているか見ていないかを判別し、ＴＶモニタを省電力動作させる発明であり、視聴者がＴＶモニタを見ているときに、ＴＶモニタに表示された表示を省電力で表示させることはできなかった。
【０００９】
本発明の目的は、人物が表示装置を見ているときに、表示装置に表示された表示を省電力で表示させることができないという上述した課題を解決する表示装置、表示方法および表示プログラムを提供することにある。
【課題を解決するための手段】
【００１０】
本発明の表示装置は、映像を所定の表示面に表示する表示手段と、前記表示手段の前に位置する人物を撮像して生成した画像データを出力する撮像手段と、前記画像データから求めた前記人物の視線を示す情報を出力する解析手段と、前記表示面のうち、前記人物の視線との交点を内部に含む所定の大きさである第一の範囲に映像表示するよう制御し、前記第一の範囲以外の第二の範囲を前記第一の範囲よりも少ない電力で動作させるよう制御する表示範囲決定手段とを備える。
【００１１】
本発明の表示方法は、映像を所定の表示面に表示する表示ステップと、人物を撮像して生成した画像データを出力する撮像ステップと、前記画像データから求めた前記人物の視線を示す情報を出力する解析ステップと、前記表示面のうち、前記人物の視線との交点を内部に含む所定の大きさである第一の範囲に映像表示するよう制御し、前記第一の範囲以外の第二の範囲を前記第一の範囲よりも少ない電力で動作させるよう制御する表示範囲決定ステップとを有する。
【００１２】
本発明の表示プログラムは、映像を所定の表示面に表示する表示処理と、人物を撮像して生成した画像データを出力する撮像処理と、前記画像データから求めた前記人物の視線を示す情報を出力する解析処理と、前記表示面のうち、前記人物の視線との交点を内部に含む所定の大きさである第一の範囲に映像表示するよう制御し、前記第一の範囲以外の第二の範囲を前記第一の範囲よりも少ない電力で動作させるよう制御する表示範囲決定処理とをコンピュータに実行させる。
【発明の効果】
【００１３】
本発明の表示装置、表示方法および表示プログラムは、人物が表示装置を見ている場合に、表示装置に表示される表示を省電力で表示させることができるという効果がある。
【図面の簡単な説明】
【００１４】
【図１】人間１０の視野範囲の例を示す。
【図２】本発明の第１の実施形態の表示装置の構成例を示す。
【図３】本発明の第１の実施形態の表示手段２３である液晶画面３の拡大図を示す。
【図４】本発明の第１の実施形態の表示手段２３である液晶画面３の映像表示を行う範囲の拡大図を示す。
【図５】本発明の第１の実施形態の表示手段２３である液晶画面３の省電力で映像表示を行う範囲の拡大図を示す。
【図６】本発明の第１の実施形態の表示装置２の動作例を示すフローチャートを示す。
【図７】本発明の第２の実施形態の表示装置７０のより詳細な構成例を示す。
【図８】本発明の第２の実施形態の表示装置７０の解析手段７０１の解析例を示す。
【図９】本発明の第２の実施形態の表示装置７０の動作例を示す。
【図１０】本発明の第２の実施形態の表示装置７０の動作例を示すフローチャートを示す。
【図１１】本発明の第３の実施形態の表示装置１１０のより詳細な構成例を示す。
【図１２】本発明の第３の実施形態の表示装置１１０の解析手段１１００の解析例を示す。
【図１３】本発明の第３の実施形態の表示装置１１０の動作例を示す。
【図１４】本発明の第２の実施形態の表示装置１１０の動作例を示すフローチャートを示す。
【図１５】本発明の第４の実施形態の表示装置１５０のより詳細な構成例を示す。
【図１６】本発明の第４の実施形態の表示装置１５０の動作例を示すフローチャートを示す。
【図１７】本発明の第５の実施形態の表示装置の構成例を示す。
【図１８】本発明の第５の実施形態の表示装置１７０の動作例を示すフローチャートを示す。
【図１９】本発明の第５の実施形態の表示装置１７０の解析手段１７００、記憶手段１７０１、表示範囲決定手段１７０２の動作例を示すフローチャートを示す。
【図２０】本発明の第６の実施形態の表示装置２００のより詳細な構成例を示す。
【図２１】本発明の第６の実施形態の表示装置２００の動作例を示すフローチャートを示す。
【図２２】本発明の第７の実施形態の表示装置の構成例を示す。
【図２３】本発明の第７の実施形態の表示装置２２０の動作例を示すフローチャートを示す。
【図２４】本発明の第８の実施形態の表示装置の構成例を示す。
【図２５】本発明の第８の実施形態の表示装置２４０の動作例を示すフローチャートを示す。
【図２６】本発明の第８の実施形態の表示装置２６０のより詳細な構成例を示す。
【図２７】本発明の第８の実施形態の表示装置２６０のより詳細な動作例を示す。
【発明を実施するための形態】
【００１５】
＜第１の実施形態＞
本発明の第１の実施形態において、表示装置は、人物が表示装置を見ている場合に、表示装置に表示される表示を省電力で表示させることができる。なお、付記した図面参照符号は、理解を助けるための一例として各要素に便宜上付記したものであり、本発明を図示の態様に限定することを意図するものではない。
【００１６】
まず、図１を用いて人間の視野について説明する。図１に示すように、人間１０の視野には色を識別できる視野範囲１１および文字を識別できる視野範囲１２が存在することが知られている。従って、人間１０は色を識別できる視野範囲１１内では、例えば物体の色のみしか識別できず、物体の詳細までは確認できない。一方、文字を機別できる視野範囲１２内では、例えば物体の色のみならず、文字なども詳細に識別することができる。すなわち、人間１０の視野には、詳細まで確認できる範囲と、詳細まで確認できない範囲が存在する。本実施形態では、この人間の持つ視野の特性を利用して、表示装置に表示される表示を省電力で表示する。
【００１７】
図２は、本実施形態における、表示装置２の構成例を示す。図２に示すように、表示装置２は、撮像手段２０と、解析手段２１と、表示範囲決定手段２２と、表示手段２３を備える。
【００１８】
本実施形態において、撮像手段２０は、視聴者を撮像して生成した画像データを出力する。撮像手段２０は、例えば、カメラである。
【００１９】
解析手段２１は、前記撮像手段２０が撮像した前記画像データから求めた前記人物の視線を示す情報を出力する。
【００２０】
表示範囲決定手段２２は、表示手段２３の表示面のうち前記視聴者の視線との交点を内部に含む所定の大きさである第一の範囲に映像表示するよう表示範囲を決定し、表示手段２３を制御する。また、前記第一の範囲以外の第二の範囲を前記第一の範囲よりも少ない電力で動作させるように表示手段２３を制御する。なお、第一の範囲および第二の範囲は、人間が有する平均的な視野範囲に基づいて制御してもよい。
【００２１】
表示手段２３は、表示範囲決定手段２２が制御する第一の範囲および第二の範囲を考慮して、表示手段２３の所定の表示面に映像を表示する。表示する映像は、例えば図示しない映像再生手段より映像データを受け取り、それを再生してもよい。
【００２２】
表示手段２３に映像表示を行う方法および表示手段２３を少ない電力で動作させる方法として、例えば図３に示すように、表示手段２３が液晶画面３である場合を説明する。図３は表示手段２３である液晶画面３の表示面を拡大したものであり、表示面は、映像表示を行うための三原色の各液晶ドット３０から構成されている。また、各駆動ライン３１は、各液晶ドット３０を駆動することができる。
【００２３】
図４は、映像表示を行っている液晶画面３の表示面を拡大した例である。図３に示す液晶画面３に、映像表示を行う場合は、図４に示すように、全ての駆動ライン３１を駆動し、対応する少なくとも１つの液晶ドットをＯＮにして映像表示を行う。例えば、色つきで示す赤ドット４０はＯＮになった液晶ドットを示し、赤色で発光している。同様に、色つきで示す液晶ドットは各色発光している。
【００２４】
また、図５は、少ない電力で映像表示を行っている液晶画面３の表示面を拡大した例である。図３に示す液晶画面３に、少ない電力で映像表示を行う場合は、図５に示すように、各色左側の駆動ライン３１のみを駆動し、右側の駆動ライン３１は省電力のために駆動しないようにする。このように、図４の映像表示を行う場合と比較して、図５に示す少ない電力で映像表示を行う場合では、ＯＮにする液晶ドット数を間引くことにより表示手段２３の省電力動作を実現させることができる。なお、少ない電力で動作させる方法は、この方法に限らず、省電力動作が実現できるものであればよく、また、表示手段２３も液晶画面３に限定されない。また、上述した少ない電力で映像表示を行う方法のほかに表示手段２３を少ない電力で動作させる方法として、全ての駆動ラインを駆動せず、全く映像を表示しないようにしてもよい。この場合、液晶ドットをＯＮにしないことによる省電力に加え、余計なデータ転送を行わないため表示装置の処理能力を落とすことができ、さらなる省電力を実現できる。また、表示手段２３は、プラズマ方式の表示手段２３であっても同様に動作させることができる。また、プロジェクターなどスクリーンに映像を投影させるような表示手段２３を用いる場合には、プロジェクターの輝度、照度などを下げるようにすればよい。また、映像表示を行う方法は上述した例のように全ての駆動ラインを駆動する必要はなく、一部の駆動ラインを駆動して映像表示を行ってもよい。また、少ない電力で映像表示を行う方法は、上述した例のように映像表示を行う場合と比べて、半分の液晶ドットを駆動する場合に限られず、映像表示を行う場合に比べて少ない電力となる動作を実現するものであればよい。
【００２５】
図６は、本実施形態の表示装置の動作例を示すフローチャートである。
【００２６】
本実施形態において、撮像手段２０は、視聴者を撮像して、画像データを生成し、解析手段２１へ該画像データを送る（Ｓ００１）。
【００２７】
撮像された画像データを受けた解析手段２１は、該画像データから視聴者の視線を解析し、その解析結果を表示範囲決定手段２２に通知する（Ｓ００２）。
【００２８】
表示範囲決定手段２２は、表示手段２３の表示面のうち前記視聴者の視線との交点を内部に含む所定の大きさである第一の範囲に映像表示するよう表示範囲を決定し、表示手段２３を制御する。また、前記第一の範囲以外の第二の範囲を前記第一の範囲よりも少ない電力で動作させるように表示手段２３を制御する（Ｓ００３）。例えば、表示範囲決定手段２２は、人間が有する平均的な視野範囲を図示しない表示範囲決定手段２２の記憶部に記憶しておき、該予め記憶しておいた範囲に基づいて第一および第二の範囲を決定してもよい。
【００２９】
表示手段２３は、表示範囲決定手段２２が制御した第一の範囲および第二の範囲を考慮して表示手段２３の所定の表示面に映像表示を行う（Ｓ００４）。表示する映像は、例えば図示しない映像再生手段より映像データを受け取り、それを再生してもよい。
【００３０】
本実施形態において、表示装置の撮像手段は、視聴者を撮像して生成した画像データを出力する。解析手段は、前記撮像手段が撮像した前記画像データから求めた前記人物の視線を示す情報を出力する。表示範囲決定手段は、表示手段の表示面のうち前記視聴者の視線との交点を内部に含む所定の大きさである第一の範囲に映像表示するよう表示範囲を決定し、表示手段を制御する。また、前記第一の範囲以外の第二の範囲を前記第一の範囲よりも少ない電力で動作させるように表示手段を制御する。表示手段は、表示範囲決定手段が制御した第一の範囲および第二の範囲を考慮して、所定の表示面に映像を表示する。
【００３１】
従って、本実施形態によれば、表示装置は、視聴者の視線から定まる第一および第二の範囲に基づいて、映像表示を行う範囲および省電力で動作する範囲を制御し、表示装置に表示される表示を省電力で表示することができる。また、視聴者の視野に合わせて映像表示を行う範囲を決定しているため、視聴者にとって違和感のない映像表示を行う表示装置を提供することができる。なお、本実施形態において、図２に示した各手段は、専門のハードウェアで実現してもよいし、ソフトウェアで実現できるように構成してもよい。また、表示手段２３は、映像表示を行う第一の範囲および省電力で動作する第二の範囲を考慮して映像表示を行うが、表示する映像は、表示手段２３に映像を表示するものであればよい。例えば、任意の記録媒体に記録された映像データを図示しない映像再生手段で再生してもよく、また、テレビ放送などの映像でもよい。また、表示される映像とともに音声を出力してもよい。
【００３２】
＜第２の実施形態＞
本発明の第２の実施形態について図面を参照して説明する。本実施形態では、表示装置の解析手段は、撮像手段により撮像された視聴者の画像データのうち、視聴者の眼球部の画像データを解析する。なお、付記した図面参照符号は、理解を助けるための一例として各要素に便宜上付記したものであり、本発明を図示の態様に限定することを意図するものではない。本実施形態に関する表示装置の構成例は、第１の実施形態で示した図２と同様である。
【００３３】
図７は、本実施形態における、表示装置７０のより詳細な構成例および表示装置７０の映像表示を見る視聴者７１を示す。
【００３４】
本実施形態において、撮像手段７００は、視聴者を撮像して生成した画像データを出力する。
【００３５】
解析手段７０１は、撮像手段７００により撮像された視聴者７１の画像データのうち、該視聴者７１の眼球部の画像データを解析し、視聴者７１がどの方向を見ているかを判断する。図８に撮像手段７００により撮像された眼球部８０の画像データの解析例を示す。図８は視聴者７１の片方の眼球部８０を解析する例であるが、両眼球を解析してもよい。
【００３６】
解析手段７０１は、図８のように、撮像手段７００が撮像した視聴者７１の画像データのうち、眼球部８０の画像データを所定の領域に分割する。なお、所定の領域の大きさや数は、撮像される視聴者７１の目の大きさなどに応じて適宜変更してもよい。
【００３７】
解析手段７０１は、分割された眼球部８０の画像データの黒目８１を境に該眼球の左右の白目８２、８３の領域数を求め、その領域数の比較を行い、その結果から視聴者７１が見ている方向を判断する。例えば、図８に示すように黒目８１を境に左右の白目８２、８３の領域数がほぼ等しい場合は、解析手段７０１は、視聴者７１が正面を見ていると判断する。また、例えば、黒目８１を境に、右の白目８３の領域数が左の白目８２の領域数より大きい場合は、解析手段７０１は、視聴者７１は右方向を見ていると判断する。また、例えば、黒目８１を境に左の白目８２の領域数が右の白目８３の領域数より大きい場合は、解析手段７０１は、視聴者７１は左方向を見ていると判断する。
【００３８】
表示範囲決定手段７０２は、表示手段７０３の表示面のうち、前記視聴者の視線との交点を内部に含む所定の大きさである第一の範囲に映像表示するよう表示範囲を決定し、表示手段７０３を制御する。また、前記第一の範囲以外の第二の範囲を前記第一の範囲よりも少ない電力で動作させるよう表示手段７０３を制御する。例えば、図９のように、解析手段７０１が視聴者７１は正面を見ていると判断した場合、視聴者７１の視野範囲のうち視聴者７１が詳細まで識別できる範囲は視聴者７１の正面となる。この場合、表示範囲決定手段７０２は、表示手段７０３のうち視聴者７１の正面にあたる第一の範囲９０に映像表示するよう表示範囲を決定し、表示手段７０３を制御する。また、前記第一の範囲以外の第二の範囲９１を前記第一の範囲よりも少ない電力で動作させるよう表示手段７０３を制御する。なお、第一の範囲９０および第二の範囲９１は、人間が有する平均的な視野範囲に基づいて決定してもよい。また、第二の範囲９１とは、第一の範囲９０よりも省電力で動作する範囲をいう。例えば、省電力で映像表示を行う範囲や、何も映像表示を行わない範囲などをいう。
【００３９】
表示手段７０３は表示範囲決定手段７０２が制御した第一の範囲９０および第二の範囲９１を考慮して表示手段７０３の所定の表示面に映像表示を行う。
【００４０】
図１０は、本実施形態の表示装置７０の動作例を示すフローチャートである。
【００４１】
本実施形態において、撮像手段７００は、表示手段７０３前に位置する視聴者７１を撮像して、画像データを生成し、解析手段７０１へ該画像データを送る（Ｓ１０１）。
【００４２】
撮像手段７０１より視聴者７１の画像データが送られてくると、解析手段７０１は、視聴者７１の眼球部の画像データを所定の領域に分割する。（Ｓ１０２）
解析手段７０１は、所定の領域に分割された眼球部の画像データの黒目を境に、左右の白目の領域数を求める（Ｓ１０３）。
【００４３】
解析手段７０１は、黒目を境にした左右の白目の領域数を比較する（Ｓ１０４）。
【００４４】
解析手段７０１は、比較の結果、黒目を境に左右の白目の領域数がほぼ等しい場合（Ｓ１０４で左の白目≒右の白目の場合）は、解析手段７０１は、視聴者７１が正面を見ていると判断する（Ｓ１０５）。
【００４５】
また、比較の結果、黒目を境に右の白目の領域数が左の白目の領域数より大きい場合（Ｓ１０４で右の白目＞左の白目の場合）は、解析手段７０１は、視聴者７１は右方向を見ていると判断する（Ｓ１０６）。
【００４６】
また、比較の結果、黒目を境に左の白目の領域数が右の白目の領域数より大きい場合（Ｓ１０４で左の白目＞右の白目の場合）は、解析手段７０１は、視聴者７１は左方向を見ていると判断する（Ｓ１０７）。
【００４７】
表示範囲決定手段７０２は、解析手段７０１による解析結果に基づいて、表示手段７０３の表示面のうち、前記視聴者の視線との交点を内部に含む所定の大きさである第一の範囲に映像表示するよう表示範囲を決定し、表示手段７０３を制御する。また、前記第一の範囲以外の第二の範囲を前記第一の範囲よりも少ない電力で動作させるよう表示手段７０３を制御する。（Ｓ１０５、Ｓ１０６、Ｓ１０７）。例えば、解析手段７０１が、視聴者７１は正面を見ていると判断した場合、視聴者７１の視野範囲のうち視聴者７１が詳細まで確認できる範囲は視聴者７１の正面となる。この場合、表示範囲決定手段７０２は、表示手段７０３のうち、視聴者７１の正面にあたる第一の範囲に映像表示するよう表示範囲を決定し、表示手段７０３を制御する。また、前記第一の範囲以外の第二の範囲を前記第一の範囲よりも少ない電力で動作させるよう表示手段７０３を制御する。また、例えば、解析手段７０１が、視聴者７１は右方向を見ていると判断した場合、視聴者７１の視野範囲のうち視聴者７１が詳細まで確認できる範囲は視聴者７１の右側となる。この場合、表示範囲決定手段７０２は、表示手段７０３のうち、視聴者７１の右側にあたる第一の範囲に映像表示するよう表示範囲を決定し、表示手段７０３を制御する。前記第一の範囲以外の第二の範囲を前記第一の範囲よりも少ない電力で動作させるよう表示手段７０３を制御する。また、例えば、解析手段７０１が、視聴者７１は左方向を見ていると判断した場合、視聴者７１の視野範囲のうち視聴者７１が詳細まで確認できる範囲は視聴者７１の左側となる。この場合、表示範囲決定手段７０２は、表示手段７０３のうち、視聴者７１の左側にあたる第一の範囲に映像表示するよう表示範囲を決定し、表示手段７０３を制御する。前記第一の範囲以外の第二の範囲を前記第一の範囲よりも少ない電力で動作させるよう表示手段７０３を制御する。
【００４８】
表示手段７０３は、表示範囲決定手段７０２が制御した第一の範囲および第二の範囲を考慮して、表示手段７０３の所定の表示面に映像表示を行う（Ｓ１０５、Ｓ１０６、Ｓ１０７）。
【００４９】
なお、本実施形態において、解析手段７０１による眼球部の画像データの解析方法は、上記方法に限るものではなく、視聴者７１がどこを見ているか判断できる方法であればよい。例えば、解析手段７０１は、角膜反射法など任意の視線検出法を用いて視聴者７１の視線を検出し、その検出結果から視聴者７１が見ている方向を判断してもよい。また、表示範囲決定手段７０２は、解析手段７０１の解析結果に基づき、表示手段７０３のうち、第一の範囲を正面、右方向、左方向の３方向のいずれかに決定しているが、これに限るものではない。例えば、表示範囲決定手段７０２は、解析手段７０１が解析した視聴者の視線から定まる第一の範囲および第二の範囲に基づいて、表示手段７０３の任意の箇所を映像表示および省電力で動作する範囲と制御してもよい。また、視聴者７１にどちらの眼球を解析するかを選択させてもよい。解析手段７０１は、選択された眼球について解析を行うことで、視聴者７１の状況に合った解析を行うことができる。また、表示手段７０３は、第一の範囲および第二の範囲を考慮して映像表示を行うが、表示する映像は表示手段７０３に映像を表示するものであればよい。例えば、任意の記録媒体に記録された映像データを図示しない映像再生手段で再生しそれを表示してもよく、また、テレビ放送などの映像でもよい。また、表示される映像とともに音声を出力してもよい。また、表示手段７０３は図９のような視聴者を取り囲む曲面形状であってもよいし、平面形状であってもよい。曲面形状の場合は平面形状の場合に比べ、視聴者７１はより実体験に近い映像表示を体験することができる。なお、表示手段７０３は、視聴者の周囲をすべて取り囲む形状であってもよく、形状は任意である。
【００５０】
本実施形態において、表示装置の解析手段は、撮像手段が出力した視聴者の画像データのうち、視聴者の眼球部の画像データを解析し、視線を示す情報を出力する。表示範囲決定手段は、前記解析手段が解析した情報に基づき、表示手段の表示面のうち視聴者の視線との交点を内部に含む所定の大きさである第一の範囲に映像表示するよう表示範囲を決定し、表示手段を制御する。また、前記第一の範囲以外の第二の範囲を前記第一の範囲よりも少ない電力で動作させるように表示手段を制御する。
【００５１】
従って、本実施形態によれば、表示装置は、視聴者の視線から定まる第一および第二の範囲に基づいて、映像表示を行う範囲および省電力で動作する範囲を制御し、表示装置に表示される表示を省電力で表示することができる。また、視聴者の視野に合わせて映像表示を行う範囲を決定しているため、視聴者にとって違和感のない映像表示を行う表示装置を提供することができる。
【００５２】
＜第３の実施形態＞
本発明の第３の実施形態について図面を参照して説明する。本実施形態では、表示装置の解析手段は、撮像手段により撮像された視聴者の画像データのうち、視聴者の顔部の画像データを解析する。なお、付記した図面参照符号は、理解を助けるための一例として各要素に便宜上付記したものであり、本発明を図示の態様に限定することを意図するものではない。なお、本実施形態において、本発明の上記実施形態のいずれかと同様の構成については、説明を省略する。本実施形態に関する表示装置の構成例は、第１の実施形態で示した図２と同様である。
【００５３】
図１１は、本実施形態における、表示装置１１０のより詳細な構成例および表示装置１１０の映像表示を見る視聴者７１を示す。
【００５４】
本実施形態において、解析手段１１００は、視聴者７１の顔部の画像データを解析し、視聴者７１がどの方向を見ているかを判断する。図１２に撮像手段７００により撮像された顔部１２００の画像データの解析例を示す。
【００５５】
解析手段１１００は、図１２のように、撮像手段７００から送られた視聴者７１の画像データのうち、顔部１２００の画像データを所定の領域に分割する。なお、所定の領域の大きさや数は、撮像される視聴者７１の顔の大きさなどに応じて適宜変更してもよい。
【００５６】
解析手段１１００は、所定の領域に分割された視聴者７１の顔部１２００の画像データの鼻１２０１を境に、顔の左端から鼻１２０１までの顔１２０３の領域数および顔の右端から鼻１２０１までの顔１２０４の領域数を求める。求めた領域数の比較を行い、視聴者７１の向いている方向を判断する。例えば、図１２のように、鼻１２０１を通る中心線１２０２を境に左右の顔１２０３、１２０４の領域数がほぼ等しい場合は、解析手段１１００は、視聴者７１が正面を向いていると判断する。また、例えば、鼻１２０１を通る中心線１２０２を境に、顔の右端から鼻１２０１までの顔１２０４の領域数が顔の左端から鼻１２０１までの顔１２０３の領域数より大きい場合は、解析手段１１００は、視聴者７１は右方向を向いていると判断する。また、例えば、鼻１２０１を通る中心線１２０２を境に、顔の左端から鼻１２０１までの顔１２０３の領域数が顔の右端から鼻１２０１までの顔１２０４の領域数より大きい場合は、解析手段１１００は、視聴者７１は左方向を向いていると判断する。
【００５７】
表示範囲決定手段７０２は、表示手段７０３の表示面のうち、前記視聴者の視線との交点を内部に含む所定の大きさである第一の範囲に映像表示するよう表示範囲を決定し、表示手段７０３を制御する。また、前記第一の範囲以外の第二の範囲を前記第一の範囲よりも少ない電力で動作させるよう表示手段７０３を制御する。例えば、図１３のように解析手段１１００が、視聴者７１は正面を見ていると判断した場合、視聴者７１の視野範囲のうち視聴者７１が詳細に識別できる範囲は視聴者７１の正面となる。この場合、表示範囲決定手段７０２は、表示手段７０３のうち、視聴者７１の正面にあたる第一の範囲９０に映像表示するよう表示範囲を決定し、表示手段７０３を制御する。また、前記第一の範囲以外の第二の範囲９１を前記第一の範囲よりも少ない電力で動作させるよう表示手段７０３を制御する。なお、第一の範囲９０および第二の範囲９１は、人間が有する平均的な視野範囲に基づいて決定してもよい。また、第二の範囲９１とは、第一の範囲９０よりも省電力で動作する範囲をいう。例えば、省電力で映像表示を行う範囲や、何も映像表示を行わない範囲などをいう。
【００５８】
図１４は、本実施形態における、表示装置１１０の動作例を示すフローチャートである。
【００５９】
本実施形態において、撮像手段７００は、表示手段７０３前に位置する視聴者７１を撮像して、画像データを生成し、解析手段１１００へ該画像データを送る（Ｓ２０１）。なお、このＳ２０１は、第２の実施形態の図１０のＳ１０１と同じ動作を行ってもよい。
【００６０】
撮像手段７００より視聴者７１の画像データが送られてくると、解析手段１１００は、視聴者７１の顔部の画像データを所定の領域に分割する。（Ｓ２０２）
解析手段１１００は、視聴者７１の顔の鼻を境に、顔の左端から鼻までの顔の領域数および顔の右端から鼻までの顔の領域数を求める（Ｓ２０３）。
【００６１】
解析手段１１００は、Ｓ２０３で求めた鼻を境にした左右の顔の領域数を比較する（Ｓ２０４）。
【００６２】
鼻を境に左右の顔の領域数がほぼ等しい場合（Ｓ２０４で左の顔≒右の顔の場合）は、解析手段１１００は、視聴者７１が正面を向いていると判断する（Ｓ２０５）。
【００６３】
また、鼻を境に右の顔の領域数が左の顔の領域数より大きい場合（Ｓ２０４で右の顔＞左の顔の場合）は、解析手段１１００は、視聴者７１は右方向を向いていると判断する（Ｓ２０６）。
【００６４】
また、鼻を境に左の顔の領域数が右の顔の領域数より大きい場合（Ｓ２０４で左の顔＞右の顔の場合）は、解析手段１１００は、視聴者７１は左方向を向いていると判断する（Ｓ２０７）。
【００６５】
表示範囲決定手段７０２は、解析手段１１００による解析結果に基づいて、表示手段７０３の表示面のうち、前記視聴者の視線との交点を内部に含む所定の大きさである第一の範囲に映像表示するよう表示範囲を決定し、表示手段７０３を制御する。また、前記第一の範囲以外の第二の範囲を前記第一の範囲よりも少ない電力で動作させるよう表示手段７０３を制御する。（Ｓ２０５、Ｓ２０６、Ｓ２０７）。例えば、解析手段１１００が、視聴者７１は正面を見ていると判断した場合、視聴者７１の視野範囲のうち視聴者７１が詳細まで確認できる範囲は視聴者７１の正面となる。この場合、表示範囲決定手段７０２は、表示手段７０３のうち、視聴者７１の正面にあたる第一の範囲に映像表示するよう表示範囲を決定し、表示手段７０３を制御する。また、前記第一の範囲以外の第二の範囲を前記第一の範囲よりも少ない電力で動作させるよう表示手段７０３を制御する。また、例えば、解析手段１１００が、視聴者７１は右方向を見ていると判断した場合、視聴者７１の視野範囲のうち視聴者７１が詳細まで確認できる範囲は視聴者７１の右側となる。この場合、表示範囲決定手段７０２は、表示手段７０３のうち、視聴者７１の右側にあたる第一の範囲に映像表示するよう表示範囲を決定し、表示手段７０３を制御する。また、前記第一の範囲以外の第二の範囲を前記第一の範囲よりも少ない電力で動作させるよう表示手段７０３を制御する。また、例えば、解析手段１１００が、視聴者７１は左方向を見ていると判断した場合、視聴者７１の視野範囲のうち視聴者７１が詳細まで確認できる範囲は視聴者７１の左側となる。この場合、表示範囲決定手段７０２は、表示手段７０３のうち、視聴者７１の左側にあたる第一の範囲に映像表示するよう表示範囲を決定し、表示手段７０３を制御する。また、前記第一の範囲以外の第二の範囲を前記第一の範囲よりも少ない電力で動作させるよう表示手段７０３を制御する。
【００６６】
表示手段７０３は、表示範囲決定手段７０２が制御した第一の範囲および第二の範囲を考慮して、表示手段７０３の所定の表示面に映像表示を行う（Ｓ２０５、Ｓ２０６、Ｓ２０７）。
【００６７】
なお、本実施形態において、解析手段１１００による顔部の画像データの解析は上記方法に限るものではなく、視聴者７１がどこを向いているか判断できる方法であればよい。例えば、解析手段１１００は視聴者７１の顔の各部分の位置を検出し、検出できた顔の部分とできなかった顔の部分から顔の方向を判断してもよい。また、解析手段１１００が解析に使用する顔の部分は鼻に限らず、口、眉、耳など解析可能な顔の部分であればよく、顔の部分を複数解析してもよい。また、表示範囲決定手段７０２は、解析手段１１００の解析結果に基づき、表示手段７０３のうち第一の範囲を正面、右方向、左方向の３方向のいずれかに決定しているが、これに限るものではない。例えば、表示範囲決定手段７０２は、解析手段７０１が解析した視聴者の顔の方向から定まる第一の範囲および第二の範囲に基づいて、表示手段の任意の箇所を映像表示および省電力で動作する範囲と制御してもよい。また、例えば、本実施形態と同様の方法を顔の上下方向の判断にも応用できる。また、視聴者７１に解析する顔の部分を選択させてもよい。解析手段１１００は、選択された顔の部分について解析を行うことで、視聴者７１の状況に合った解析を行うことができる。また、表示手段７０３は、第一の範囲および第二の範囲を考慮して映像表示を行うが、表示する映像は表示手段７０３に映像を表示するものであればよい。例えば、任意の記録媒体に記録された映像データを図示しない映像再生手段で再生してもよく、また、テレビ放送などの映像でもよい。また、表示される映像とともに音声を出力してもよい。
【００６８】
本実施形態において、表示装置の解析手段は、撮像手段が出力した視聴者の画像データのうち、視聴者の顔部の画像データを解析し、視線を示す情報を出力する。表示範囲決定手段は、前記解析手段が解析した情報に基づき、表示手段の表示面のうち視聴者の視線との交点を内部に含む所定の大きさである第一の範囲に映像表示を行うよう表示範囲を決定し、表示手段を制御する。また、前記第一の範囲以外の第二の範囲を前記第一の範囲よりも少ない電力で動作させるように表示手段を制御する。
【００６９】
従って、本実施形態によれば、表示装置は、視聴者の視線から定まる第一および第二の範囲に基づいて、映像表示を行う範囲および省電力で動作する範囲を制御し、表示装置に表示される表示を省電力で表示することができる。また、視聴者の視野に合わせて映像表示を行う範囲を決定しているため、視聴者にとって違和感のない映像表示を行う表示装置を提供することができる。
【００７０】
＜第４の実施形態＞
本発明の第４の実施形態について図面を参照して説明する。本実施形態では、表示装置の解析手段は、撮像手段により撮像された視聴者の画像データのうち、視聴者の眼球部および顔部の画像データを解析する。なお、付記した図面参照符号は、理解を助けるための一例として各要素に便宜上付記したものであり、本発明を図示の態様に限定することを意図するものではない。なお、本実施形態において、本発明の上記実施形態のいずれかと同様の構成については、説明を省略する。本実施形態に関する表示装置の構成例は、第１の実施形態で示した図２と同様である。
【００７１】
図１５は、本実施形態における、表示装置１５０のより詳細な構成例および表示装置１５０の映像表示を見る視聴者７１を示す。
【００７２】
本実施形態において、解析手段１５００は、視聴者７１の眼球部および顔部の画像データから得られた眼球および顔の方向に基づいて、視聴者７１がどの方向を見ているかを判断する。眼球部および顔部の画像データの解析は、第２の実施形態および第３の実施形態の解析方法と同様の方法でもよい。
【００７３】
表示範囲決定手段７０２は、表示手段７０３の表示面のうち、前記視聴者の視線との交点を内部に含む所定の大きさである第一の範囲に映像表示するよう表示範囲を決定し、表示手段７０３を制御する。また、前記第一の範囲以外の第二の範囲に前記第一の範囲よりも少ない電力で動作させるよう表示手段７０３を制御する。例えば、解析手段１５００が、視聴者７１の眼球が正面を見ており、かつ顔が正面を向いていると判断した（眼球および顔の方向が一致していると判断した）場合、視聴者７１の視野範囲のうち視聴者７１が詳細まで確認できる範囲は視聴者７１の正面となる。この場合、表示範囲決定手段７０２は、表示手段７０３のうち、視聴者７１の正面にあたる第一の範囲に映像表示するよう表示範囲を決定し、表示手段７０３を制御する。また、前記第一の範囲以外の第二の範囲を前記第一の範囲よりも少ない電力で動作させるよう表示手段７０３を制御する。また、例えば、眼球および顔の方向が一致していない場合、解析手段１５００は、眼球の向きが解析できたかを判断する。眼球の向きが解析できていた場合には、表示範囲決定手段７０２は、解析された視聴者の視線（眼球の向き）から定まる第一の範囲に映像表示するよう表示範囲を決定し、表示手段７０３を制御する。また、前記第一の範囲以外の第二の範囲を前記第一の範囲よりも少ない電力で動作させるように表示手段７０３を制御する。また、例えば、解析手段１５００が、眼球および顔の方向が一致しないと判断し、かつ、眼球の向きが解析できない場合は、表示範囲決定手段７０２は、解析された視線（顔の向き）から定まる第一の範囲に映像表示するよう表示範囲を決定し、表示手段７０３を制御する。また、前記第一の範囲以外の第二の範囲を前記第一の範囲よりも少ない電力で動作させるように表示手段７０３を制御する。なお、第一の範囲および第二の範囲は、人間が有する平均的な視野範囲に基づいて決定してもよい。また、第二の範囲とは、第一の範囲よりも省電力で動作する範囲をいう。例えば、省電力で映像表示を行う範囲や、何も映像表示を行わない範囲などをいう。
【００７４】
図１６は、本実施形態における、表示装置１５０の動作例を示すフローチャートである。
【００７５】
本実施形態において、撮像手段７００は、表示手段７０３前に位置する視聴者７１を撮像して、画像データを生成し、解析手段１１００へ該画像データを送る（Ｓ３０１）。なお、このＳ３０１は、第２の実施形態の図１０のＳ１０１と同じ動作を行ってもよい。
【００７６】
撮像手段７００より視聴者７１の画像データが送られてくると、解析手段１５００は、視聴者７１の眼球部の画像データの解析を行う（Ｓ３０２）。この解析は、第２の実施形態で示した方法と同様の解析方法でもよい。
【００７７】
解析手段１５００は、視聴者７１の顔部の画像データの解析を行う（Ｓ３０３）。この解析は、第３の実施形態で示した方法と同様の解析方法でもよい。
【００７８】
解析手段１５００は、眼球および顔の方向がどちらも解析できたかを判断する（Ｓ３０４）。
【００７９】
眼球および顔の方向がどちらとも解析できた場合（Ｓ３０４、ＹＥＳ）、解析手段１５００は、解析した眼球および顔の方向が一致しているかを判断する（Ｓ３０５）。
【００８０】
眼球および顔の方向が一致していた場合（Ｓ３０５、ＹＥＳ）、解析手段１５００は、視聴者７１は正面を向いていると判断し、表示範囲決定手段７０２は、表示手段７０３のうち、視聴者７１の正面にあたる第一の範囲に映像表示するよう表示範囲を決定し、表示手段７０３を制御する。また、前記第一の範囲以外の第二の範囲を前記第一の範囲よりも少ない電力で動作させるように表示手段７０３を制御する。（Ｓ３０６）。
【００８１】
眼球および顔の方向が一致していない場合（Ｓ３０５、ＮＯ）、解析手段１５００は、視聴者７１は解析した眼球の方向を見ていると判断する。この場合、表示範囲決定手段７０２は、解析された視聴者の視線（眼球の向き）から定まる第一の範囲に映像表示するよう表示範囲を決定し、表示手段７０３を制御する。また、前記第一の範囲以外の第二の範囲を前記第一の範囲よりも少ない電力で動作させるように表示手段７０３を制御する。（Ｓ３０７）。
【００８２】
眼球および顔の方向のうち、少なくともどちらか一方が解析できなかった場合（Ｓ３０４、ＮＯ）、解析手段１５００は、眼球の向きが解析できたかを判断する（Ｓ３０８）。
【００８３】
眼球の向きが解析できた場合（Ｓ３０８、ＹＥＳ）、解析手段１５００は、視聴者７１はＳ３０２で解析した眼球の方向を見ていると判断する。この場合、表示範囲決定手段７０２は、解析された視聴者の視線（眼球の向き）から定まる第一の範囲に映像表示するよう表示範囲を決定し、表示手段７０３を制御する。また、前記第一の範囲以外の第二の範囲を前記第一の範囲よりも少ない電力で動作させるように表示手段７０３を制御する。（Ｓ３０７）。
【００８４】
一方、眼球の向きが解析できない場合、すなわち顔の向きのみが解析できる場合（Ｓ３０８、ＮＯ）、解析手段１５００は、視聴者７１はＳ３０３で解析した顔の方向を見ていると判断する。この場合、表示範囲決定手段７０２は、解析された視線（顔の向き）から定まる第一の範囲に映像表示するよう表示範囲を決定し、表示手段７０３を制御する。また、前記第一の範囲以外の第二の範囲を前記第一の範囲よりも少ない電力で動作させるように表示手段７０３を制御する。（Ｓ３０９）。
【００８５】
表示手段７０３は、表示範囲決定手段７０２が制御した第一の範囲および第二の範囲を考慮して、表示手段７０３の所定の表示面に映像表示を行う（Ｓ３０６、Ｓ３０７、Ｓ３０９）。
【００８６】
なお、本実施形態においては、解析手段１５００による眼球部および顔部の画像データの解析方法は、上記方法に限るものではなく、視聴者７１がどこを見ているか、およびどこを向いているかを判断できる方法であればよい。例えば、解析手段１５００は、角膜反射法など任意の視線検出法を用いて視聴者７１の視線方向を検出し、その検出結果から視聴者７１が見ている方向を判断してもよい。また、例えば、解析手段１５００は視聴者７１の顔の各部分の位置を検出し、検出できた顔の部分とできなかった顔の部分から顔の方向を判断してもよい。また、解析に使用する顔の部分は鼻に限らず、口、眉、耳など解析可能な顔の部分であればよく、顔の部分を複数解析してもよい。また、眼球部および顔部の解析の順序は問わない。また、表示範囲決定手段７０２は、解析手段１５００の解析結果に基づき、表示手段７０３のうち、第一の範囲を正面、右方向、左方向の３方向のいずれかに決定しているが、これに限るものではない。例えば、表示範囲決定手段７０２は、解析手段１５００が解析した視聴者の眼球および顔の方向から定まる第一の範囲および第二の範囲に基づいて、表示手段７０３の任意の箇所を映像表示および省電力で動作する範囲と制御してもよい。また、視聴者７１にどちらの眼球を解析するか、どの顔の部分を解析するかを選択させてもよい。解析手段１５００は、選択された眼球、顔の部分について解析を行うことで、視聴者７１の状況に合った解析を行うことができる。また、表示手段７０３は、第一の範囲および第二の範囲を考慮して映像表示を行うが、表示する映像は、表示手段７０３に映像を表示するものであればよい。例えば、任意の記録媒体に記録された映像データを図示しない映像再生手段で再生してもよく、また、テレビ放送などの映像でもよい。また、表示される映像とともに音声を出力してもよい。
【００８７】
本実施形態において、表示装置の解析手段は、撮像手段が出力した視聴者の画像データのうち、視聴者の眼球部および顔部の画像データを解析する。表示範囲決定手段は、前記解析手段が解析した情報に基づき、表示手段の表示面のうち視聴者の視線との交点を内部に含む所定の大きさである第一の範囲に映像表示するよう表示範囲を決定し、表示手段を制御する。また、前記第一の範囲以外の第二の範囲を前記第一の範囲よりも少ない電力で動作させるように表示手段を制御する。
【００８８】
従って、本実施形態によれば、表示装置は、視聴者の視線から定まる第一および第二の範囲に基づいて、映像表示を行う範囲および省電力で動作する範囲を制御し、表示装置に表示される表示を省電力で表示することができる。また、視聴者の視野に合わせて映像表示を行う範囲を決定しているため、視聴者にとって違和感のない映像表示を行う表示装置を提供することができる。
【００８９】
さらに、本実施形態によれば、視聴者の視聴状況に応じて表示装置に表示される表示を省電力動作させることができる。例えば、マスクなどにより視聴者の鼻が隠れてしまい、顔の方向が解析できなかった場合でも、眼球の方向を解析することができる。これにより、映像表示する範囲および省電力で動作する範囲を制御することができ、表示装置を省電力動作させることができる。また、例えばサングラスなどにより視聴者の眼球の解析ができなかった場合でも、顔の方向を解析することができる。これにより、映像表示を行う範囲および省電力で動作する範囲を制御することができ、表示装置を省電力動作させることができる。
【００９０】
＜第５の実施形態＞
本発明の第５の実施形態について図面を参照して説明する。本実施形態では、表示装置の解析手段は、視聴者の眼球および顔の向きを解析し、さらに視聴者の顔情報を検出する。表示範囲決定手段は、解析手段による視聴者の眼球および顔の向きの解析結果に基づいて、映像表示を行う範囲および省電力で動作する範囲を制御する。表示装置は、さらに記憶手段を有し、記憶手段は、解析手段が検出した視聴者の顔情報と表示範囲決定手段が制御した第一の範囲および第二の範囲とを対応付けて記憶する。また、表示範囲決定手段は、表示手段の第一の範囲および第二の範囲を記憶手段から読み出して制御する。なお、付記した図面参照符号は、理解を助けるための一例として各要素に便宜上付記したものであり、本発明を図示の態様に限定することを意図するものではない。なお、本実施形態において、本発明の上記実施形態のいずれかと同様の構成については、説明を省略する。
【００９１】
図１７は、本実施形態における、表示装置１７０の構成例を示す。図１７に示すように、本実施形態における表示装置１７０は、記憶手段１７０１を備える。
【００９２】
本実施形態において、解析手段１７００は、前記撮像手段２０が撮像した前記画像データのうち、視聴者の眼球部および顔部の画像データを解析し、求めた前記視聴者の視線を示す情報を出力する。また、前記視聴者の顔情報を検出する。ここで視聴者の顔情報とは、視聴者の輪郭、目（眼球）、鼻、口、耳、眉などの顔の部分の位置情報である。
【００９３】
記憶手段１７０１は、解析手段１７００が検出した視聴者の顔情報と表示範囲決定手段１７０２が制御した第一の範囲および第二の範囲とを対応付けて記憶する。ここで、第二の範囲とは、第一の範囲よりも省電力で動作する範囲をいい、例えば、省電力で映像表示を行う範囲や、何も映像表示を行わない範囲などをいう。また、記憶手段１７０１とは、例えばハードディスクや光磁気ディスクなどでもよい。
【００９４】
表示範囲決定手段１７０２は、表示手段２３の表示面のうち、前記視聴者の視線との交点を内部に含む所定の大きさである第一の範囲に映像表示するよう表示範囲を決定し、表示手段２３を制御する。また、前記第一の範囲以外の第二の範囲を前記第一の範囲よりも少ない電力で動作させるよう表示手段２３を制御する。なお、第一の範囲および第二の範囲は、人間が有する平均的な視野範囲に基づいて決定してもよい。また、表示範囲決定手段１７０２は、表示手段２３の第一の範囲および第二の範囲を記憶手段１７０１から読み出して表示手段２３を制御する。
【００９５】
図１８は、本実施形態における、表示範囲決定手段１７０２が記憶手段１７０１から情報を読み出して、視聴者毎に異なる第一の範囲および第二の範囲を制御し、表示手段２３が表示手段２３の所定の表示面に映像表示を行うフローチャートである。
【００９６】
本実施形態において、撮像手段２０は、表示手段２３前に位置する視聴者を撮像して、画像データを生成し、解析手段１７００へ該画像データを送る（Ｓ４０１）。なお、このＳ４０１は、第１の実施形態の図６のＳ００１と同じ動作を行ってもよい。
【００９７】
撮像手段２０より視聴者の画像データが送られてくると、解析手段１７００は、視聴者の顔情報を検出する（Ｓ４０２）。ここで、視聴者の顔情報とは、視聴者の輪郭、目（眼球）、鼻、口、耳、眉などの顔の部分の位置情報である。
【００９８】
表示範囲決定手段１７０２は、Ｓ４０２で検出した視聴者の顔情報が記憶手段１７０１に記憶されているかを検索する（Ｓ４０３）。
【００９９】
記憶手段１７０１に記憶されていた場合（Ｓ４０３、ＹＥＳ）、表示範囲決定手段１７０２は、記憶されている情報に基づいて、表示手段２３の表示面のうち、第一の範囲および第二の範囲の決定および表示手段２３の制御を行う。表示手段２３は、表示範囲決定手段１７０２が制御した第一の範囲および第二の範囲を考慮して、表示手段２３の所定の表示面に映像表示を行う（Ｓ４０４）。
【０１００】
記憶手段１７０１に記憶されていない場合（Ｓ４０３、ＮＯ）、記憶手段１７０１への第一の範囲および第二の範囲の登録処理を行う（Ｓ４０５）。
【０１０１】
図１８の記憶手段１７０１への第一の範囲および第二の範囲の登録処理（図１８のＳ４０５）について詳細に説明する。図１９は、その処理を示したフローチャートである。
【０１０２】
本実施形態において、図示しない映像再生手段は、表示手段２３に、視聴者の視線を合わせるための映像を表示する（Ｓ５０１）。例えば、図示しない映像再生手段は、表示手段２３のうち、視聴者から見た正面、右側および左側の３か所に視聴者の視線を合わせるための映像を表示する。なお、視線を合わせるための映像を表示する箇所は前記３か所でなくてもよい。
【０１０３】
撮像手段２０は、表示手段２３前に位置し、視線を合わせるための映像を見ている視聴者を撮像して、画像データを生成し、解析手段１７００へ該画像データを送る（Ｓ５０２）。なお、このＳ５０２は、第１の実施形態の図６のＳ００１と同じ動作を行ってもよい。
【０１０４】
撮像手段２０より視聴者の画像データが送られてくると、解析手段１７００は、視聴者が視線を合わせるための映像を見ているときの、視聴者の顔情報を検出する（Ｓ５０３）。ここで、視聴者の顔情報とは、視聴者の輪郭、目（眼球）、鼻、口、耳、眉などの顔の部分の位置情報である。
【０１０５】
さらに、解析手段１７００は、視聴者が視線を合わせるための映像を見ているときの、視聴者の眼球部および顔部の画像データから、視聴者の眼球および顔の向きの解析する（Ｓ５０４、Ｓ５０５）。なお、眼球部または顔部の画像データのいずれかを解析してもよい。また、解析方法は、上記第２、第３および第４の実施形態で示したいずれかの方法でもよい。
【０１０６】
表示範囲決定手段１７０２は、解析手段１７００による解析結果および所定の値として予め定められた平均的な人間の視野に基づいて、表示手段２３の表示面のうち第一の範囲および第二の範囲の決定、制御を行う（Ｓ５０６）。例えば、解析手段１７００がＳ５０４およびＳ５０５での解析結果から視聴者は正面を見ていると判断した場合を考える。この場合、視聴者の視野範囲のうち視聴者が詳細まで確認できる範囲は視聴者の正面となる。従って、表示範囲決定手段１７０２は、表示手段２３のうち、視聴者の正面にあたる第一の範囲に映像表示するよう表示範囲を決定し、表示手段２３を制御する。また、前記第一の範囲以外の第二の範囲を前記第一の範囲よりも少ない電力で動作させるよう表示手段２３を制御する。なお、表示範囲決定手段１７０２による第一の範囲および第二の範囲の制御方法は、上記第２、第３および第４の実施形態で示したいずれかの方法でもよい。所定の値として予め定められた平均的な人間の視野は図示しない表示範囲決定手段の記憶部に予め記憶されているものとする。
【０１０７】
表示範囲決定手段１７０２は、視聴者からの指示により、前記所定の値として予め定められた第一の範囲および第二の範囲の補正および決定を行い、表示手段２３を制御する（Ｓ５０７）。例えば、表示範囲決定手段１７０２がＳ５０６で制御した第一の範囲および第二の範囲に基づいて、表示手段２３はサンプル映像を表示したとする。このとき、視聴者は、該制御した範囲では視聴者自身の視野内にぼやけたところが残るなど、表示される映像に違和感があるとする。この場合、視聴者は図示しない表示範囲調節手段を用いて、視聴者自身の視野に合うように前記所定の値として決定された第一の範囲および第二の範囲の補正を行う。表示範囲決定手段１７０２は、その補正後の範囲を前記視聴者に適した映像表示を行う範囲および省電力で動作する範囲として表示手段２３を制御する。また、補正後、表示手段２３にサンプル映像を流し、直前に補正を行った第一の範囲および第二の範囲の再調整を行ってもよい。
【０１０８】
記憶手段１７０１は、解析手段１７００により検出された視聴者の顔情報と表示範囲決定手段１７０２により補正および制御された第一の範囲および第二の範囲とを対応付けて記憶する（Ｓ５０８）。
【０１０９】
なお、本実施形態において、図示しない映像再生手段を設け、該映像再生手段は表示手段２３にサンプル映像を表示させ、第一の範囲および第二の範囲の変更を行うためのチュートリアルを表示させてもよい。また、視聴者毎に異なる第一の範囲および第二の範囲を、視聴者の顔情報と対応付けて記憶手段に記憶しているがこれに限られず、視聴者個人を特定できる情報と対応付けてもよい。また、視線を合わせるための映像が複数あった場合には、その映像毎に第一の範囲および第二の範囲の補正および決定を行い、その結果を記憶手段は記憶してもよい。
【０１１０】
本実施形態において、表示装置の表示範囲決定手段は、前記解析手段が解析した情報に基づき、表示手段の表示面のうち視聴者の視線との交点を内部に含む所定の大きさである第一の範囲に映像表示するよう表示範囲を決定し、表示手段を制御する。また、前記第一の範囲以外の第二の範囲を前記第一の範囲よりも少ない電力で動作させるように表示手段を制御する。また、視聴者毎の前記第一の範囲および第二の範囲の補正および決定を行う。また、記憶手段を参照して、視聴者毎の前記第一の範囲、第二の範囲および視聴者の顔情報を考慮して、映像を表示および省電力で動作するよう表示手段を制御する。
【０１１１】
記憶手段は、視聴者の顔情報と前記第一の範囲および前記第二の範囲とを対応付けて記憶する。
【０１１２】
従って、本実施形態によれば、表示装置は、視聴者の視線から定まる第一の範囲および第二の範囲に基づいて、映像表示を行う範囲および省電力で動作する範囲を制御し、表示装置に表示される表示を省電力で表示することができる。また、視聴者の視野に合わせて映像表示を行う範囲を決定しているため、視聴者にとって違和感のない映像表示を行う表示装置を提供することができる。
【０１１３】
さらに、本実施形態によれば、視聴者毎に異なる視野範囲を考慮して、映像表示を行う範囲および省電力で動作する範囲を制御することができる。また、視聴者毎の視野に適した表示を行うことができ、表示装置に表示される表示をより精度よく省電力動作させることができる。また、視聴者自身の視野範囲に合った表示がなされるため、視聴者は違和感のない映像表示を見ることができる。
【０１１４】
＜第６の実施形態＞
本発明の第６の実施形態について図面を参照して説明する。本実施形態では、表示装置は、撮像手段を複数有する。なお、この概要に付記した図面参照符号は、理解を助けるための一例として各要素に便宜上付記したものであり、本発明を図示の態様に限定することを意図するものではない。なお、本実施形態において、本発明の上記実施形態のいずれかと同様の構成については、説明を省略する。
【０１１５】
図２０は、本実施形態における、表示装置２００のより詳細な構成例および表示装置２００の映像表示を見る視聴者７１を示す。図２０に示すように、表示装置２００は、２つの撮像手段７００Ａおよび７００Ｂと、解析手段１９００と、表示範囲決定手段７０２と、表示手段７０３とを備える。
【０１１６】
２つの撮像手段７００Ａおよび７００Ｂは、視聴者７１を撮像して生成した画像データを出力する。撮像手段７００Ａおよび７００Ｂは、例えば、カメラである。
【０１１７】
解析手段２０００は、上記２つの撮像手段７００Ａおよび７００Ｂによって出力された各画像データの解析を行い、視聴者７１の眼球の向きおよび顔の向きのうち少なくともどちらか一つが判別可能な画像データを選択する。なお、解析手段２０００による解析は、第２、第３および第４の実施の形態で示したいずれかの方法と同様の方法でもよい。
【０１１８】
図２１は、本実施形態における、表示装置２００の動作例を示すフローチャートである。
【０１１９】
本実施形態において、２つの撮像手段７００Ａおよび７００Ｂは表示手段７０３前に位置する視聴者７１を撮像して、画像データをそれぞれ生成し、解析手段２０００へ該画像データを送る（Ｓ６０１）。
【０１２０】
２つの撮像手段７００Ａおよび７００Ｂより視聴者７１の画像データが送られてくると、解析手段２０００は、視聴者７１の眼球部および顔部の画像データから、眼球および顔の向きの解析を行う（Ｓ６０２、Ｓ６０３）。なお、眼球部または顔部の画像データから、いずれか一方の向きを解析してもよい。また、解析方法は、上記第２、第３および第４の実施形態で示したいずれかの方法でもよい。
【０１２１】
解析手段２０００は、解析した２つの画像データのうち、視聴者７１の眼球および顔の少なくともどちらか一方の向きが解析されている画像データを選択する（Ｓ６０４）。
【０１２２】
表示範囲決定手段７０２は、解析手段２０００により選択された画像データの解析結果に基づいて、表示手段７０３の表示面のうち、前記視聴者の視線との交点を内部に含む所定の大きさである第一の範囲に映像表示するよう表示範囲を決定し、表示手段７０３を制御する。また、前記第一の範囲以外の第二の範囲を前記第一の範囲よりも少ない電力で動作させるよう表示手段７０３を制御する。（Ｓ６０５）。
【０１２３】
表示手段７０３は、表示範囲決定手段７０２が制御した第一の範囲および第二の範囲を考慮して、表示手段７０３の所定の表示面に映像表示を行う（Ｓ６０６）。表示する映像は、例えば図示しない映像再生手段より映像データを受け取り、それを再生してもよい。
【０１２４】
なお、本実施形態では撮像手段を２つに限定していたが、撮像手段がそれ以上の数あった場合でも同様の動作を行うことができる。また、撮像手段の位置は、図２０に限定されない。また、複数撮像された画像データのうち、眼球部および顔部の画像データのうち少なくともどちらか一方が撮像されている画像データを選択していたが、これに限定するものではない。例えば、複数の撮像手段により複数撮像された画像データのうち、眼球および顔の向きをよりよく判別できる画像データを選択し、同様の動作を行うこともできる。また、一つの撮像手段で撮像された画像データでは視聴者の視線方向が解析不可能と解析手段が判断した場合に、図示しない撮像手段切替手段により、他の撮像手段に切り替え、他の撮像手段による撮像を行ってもよい。この場合、切替後、他の撮像手段によって撮像された画像データを解析することで、同様の動作を実現することができる。また、表示手段７０３は、第一の範囲および第二の範囲を考慮して映像表示を行うが、表示する映像は、表示手段７０３に映像を表示するものであればよい。例えば、任意の記録媒体に記録された映像データを図示しない映像再生手段で再生しそれを表示してもよく、また、テレビ放送などの映像でもよい。また、表示される映像とともに音声を出力してもよい。
【０１２５】
本実施形態において、表示装置は撮像手段を複数有する。解析手段は、複数の撮像手段が出力した視聴者の画像データのうち、視聴者の眼球部および顔部の画像データから、眼球および顔の向きを解析する。さらに、解析手段は、解析した画像データのうち、視聴者の眼球および顔の少なくともどちらか一方の向きが解析されている画像データを選択する。表示範囲決定手段は、前記解析手段が選択した画像データの解析結果に基づき、表示手段の表示面のうち視聴者の視線との交点を内部に含む所定の大きさである第一の範囲に映像表示するよう表示範囲を決定し、表示手段を制御する。また、前記第一の範囲以外の第二の範囲を前記第一の範囲よりも少ない電力で動作させるように表示手段を制御する。
【０１２６】
従って、本実施形態によれば、表示装置は、視聴者の視線から定まる第一および第二の範囲に基づいて、映像表示を行う範囲および省電力で動作する範囲を制御し、表示装置に表示される表示を省電力で表示することができる。また、視聴者の視野に合わせて映像表示を行う範囲を決定しているため、視聴者にとって違和感のない映像表示を行う表示装置を提供することができる。
【０１２７】
さらに、視聴者が一つの撮像手段の撮像範囲の死角にいる場合でも、他の撮像手段が撮像した画像データの解析を行うことで、表示装置に表示される表示を省電力で表示することができる。
【０１２８】
＜第７の実施形態＞
本発明の第７の実施形態について図面を参照して説明する。本実施形態では、表示装置は、さらに重量センサを有する。なお、付記した図面参照符号は、理解を助けるための一例として各要素に便宜上付記したものであり、本発明を図示の態様に限定することを意図するものではない。なお、本実施形態において、本発明の上記実施形態のいずれかと同様の構成については、説明を省略する。
【０１２９】
図２２は、本実施形態における、表示装置２２０の構成例を示す。図２２に示すように、表示装置２２０は、撮像手段２０と、解析手段１５００と、重量センサ２２００と、表示範囲決定手段２２０１と表示手段２３とを備える。
【０１３０】
重量センサ２２００は、視聴者の位置を検出する。例えば、重量センサ２２００は表示手段２３の表示面前方の床に設置し、視聴者がどの位置から表示手段２３を見ているかを検出する。
【０１３１】
表示範囲決定手段２２０１は、前記解析手段１５００および重量センサ２２００の情報に基づき、表示手段２３の表示面のうち、前記視聴者の視線との交点を内部に含む所定の大きさである第一の範囲に映像表示するよう表示範囲を決定し、表示手段２３を制御する。また、前記第一の範囲以外の第二の範囲を前記第一の範囲よりも少ない電力で動作させるよう表示手段２３を制御する。なお、第一の範囲および第二の範囲は、人間が有する平均的な視野範囲に基づいて決定してもよい。また、第二の範囲とは、第一の範囲よりも省電力で動作する範囲をいい、例えば、省電力で映像表示を行う範囲や、何も映像表示を行わない範囲などをいう。
【０１３２】
図２３は、本実施形態における、表示装置２２０の動作例を示すフローチャートである。
【０１３３】
本実施形態において、撮像手段２０は、表示手段２３前に位置する視聴者を撮像して、画像データを生成し、解析手段１５００へ該画像データを送る（Ｓ７０１）。なお、このＳ７０１は、第１の実施形態の図６のＳ００１と同じ動作を行ってもよい。
【０１３４】
撮像手段２０より視聴者の画像データが送られてくると、解析手段１５００は、視聴者の眼球部および顔部の画像データから眼球および顔の向きの解析を行う（Ｓ７０２、Ｓ７０３）。なお、眼球部または顔部の画像データのいずれかを解析してもよい。また、解析方法は、上記第２、第３および第４の実施形態で示したいずれかの方法でもよい。
【０１３５】
重量センサ２２００は、表示手段２３に対する視聴者の位置を検出する（Ｓ７０４）。
【０１３６】
表示範囲決定手段２２０１は、前記解析手段１５００および重量センサ２２００の情報に基づき、表示手段２３の表示面のうち、前記視聴者の視線との交点を内部に含む所定の大きさである第一の範囲に映像表示するよう表示範囲を決定し、表示手段２３を制御する。また、前記第一の範囲以外の第二の範囲を前記第一の範囲よりも少ない電力で動作させるよう表示手段２３を制御する。（Ｓ７０５）。例えば、表示範囲決定手段２２０１は視聴者の位置に応じて、第一の範囲および第二の範囲の角度や幅を変更してもよい。
【０１３７】
表示手段２３は、表示範囲決定手段２２０１が制御した第一の範囲および第二の範囲を考慮して、表示手段２３の所定の表示面に映像表示を行う（Ｓ７０６）。表示する映像は、例えば図示しない映像再生手段より映像データを受け取り、それを再生してもよい。
【０１３８】
本実施形態において、表示装置は重量センサを有する。解析手段は、撮像手段が出力した視聴者の画像データのうち、視聴者の眼球部および顔部の画像データを解析し、視線を示す情報を出力する。重量センサは、視聴者の位置を検出する。表示範囲決定手段は、解析手段および重量センサの情報に基づき、表示手段の表示面のうち視聴者の視線との交点を内部に含む所定の大きさである第一の範囲に映像表示するよう表示範囲を決定し、表示手段を制御する。また、前記第一の範囲以外の第二の範囲を前記第一の範囲よりも少ない電力で動作させるように表示手段を制御する。
【０１３９】
従って、本実施形態によれば、表示装置は、視聴者の視線方向から定まる第一および第二の範囲に基づいて、映像表示を行う範囲および省電力で動作する範囲を決定し、表示装置に表示される表示を省電力で表示することができる。また、視聴者の視野に合わせて映像表示を行う範囲を決定しているため、視聴者にとって違和感のない映像表示を行う表示装置を提供することができる。
【０１４０】
さらに、本実施形態によれば、視聴者の位置に応じて、映像表示を行う範囲および省電力で動作する範囲を制御することができるため、より精度の高い省電力動作を実現することができる。
【０１４１】
＜第８の実施形態＞
本発明の第８の実施形態について図面を参照して説明する。本実施形態では、表示装置は、さらに刺激発生手段を有する。なお、付記した図面参照符号は、理解を助けるための一例として各要素に便宜上付記したものであり、本発明を図示の態様に限定することを意図するものではない。なお、本実施形態において、本発明の上記実施形態のいずれかと同様の構成については、説明を省略する。なお、本実施形態における刺激発生手段は、人間が知覚できる種々の刺激を発生する。本実施形態では、刺激発生手段の一例としてスピーカーである場合を示す。
【０１４２】
図２４は、本実施形態における、表示装置２４０の構成例を示す。図２４に示すように、表示装置２４０は、撮像手段２０と、解析手段１５００と、スピーカー２４００と、表示範囲決定手段２４０１と、表示手段２３とを備える。
【０１４３】
スピーカー２４００は音声を出力する。また、スピーカー２４００は表示範囲決定手段２４０１に、表示範囲を切り替えるための信号を送信する。なお、スピーカー２４００は表示手段２３に表示される映像に合わせて音声を出力してもよい。
【０１４４】
表示範囲決定手段２４０１は、表示手段２３の表示面のうち、前記視聴者の視線との交点を内部に含む所定の大きさである第一の範囲に映像表示するよう表示範囲を決定し、表示手段２３を制御する。また、前記第一の範囲以外の第二の範囲を前記第一の範囲よりも少ない電力で動作させるように表示手段２３を制御する。なお、第一の範囲および第二の範囲は、人間が有する平均的な視野範囲に基づいて決定してもよい。また、第二の範囲とは、第一の範囲よりも省電力で動作する範囲をいい、例えば、省電力で映像表示を行う範囲や、何も映像表示を行わない範囲などをいう。また、表示範囲決定手段２４０１はスピーカー２４００から発せられる音声とその音声方向に合わせて、第一の範囲と第二の範囲とを切り替える。
【０１４５】
図２５は、本実施形態における、表示装置２４０の動作例を示すフローチャートである。
【０１４６】
本実施形態において、撮像手段２０は、表示手段２３前に位置する視聴者を撮像して、画像データを生成し、解析手段１５００へ該画像データを送る（Ｓ８０１）。なお、このＳ８０１は、第１の実施形態の図６のＳ００１と同じ動作を行ってもよい。
【０１４７】
撮像手段２０より視聴者の画像データが送られてくると、解析手段１５００は、視聴者の眼球部および顔部の画像データの解析を行う（Ｓ８０２、Ｓ８０３）。なお、眼球部または顔部の画像データのいずれかを解析してもよい。また、解析方法は、上記第２、第３および第４の実施形態で示したいずれかの方法でもよい。
【０１４８】
表示範囲決定手段２４０１は、前記解析手段１５００が解析した画像データに基づき、表示手段２３の表示面のうち、前記視聴者の視線との交点を内部に含む所定の大きさである第一の範囲に映像表示するよう表示範囲を決定し、表示手段２３を制御する。また、前記第一の範囲以外の第二の範囲を前記第一の範囲よりも少ない電力で動作させるように表示手段２３を制御する（Ｓ８０４）。
【０１４９】
表示手段２３は、表示範囲決定手段２４０１が制御した第一の範囲および第二の範囲を考慮して、表示手段２３の所定の表示面に映像表示を行う（Ｓ８０５）。表示する映像は、例えば図示しない映像再生手段より映像データを受け取り、それを再生してもよい。
【０１５０】
表示手段２３の映像表示中に、スピーカー２４００は特徴的な音声を発する（Ｓ８０６）。スピーカー２４００はその音声とともに、表示範囲決定手段２４０１に表示範囲を切り替えるための信号を送信する。
【０１５１】
信号を受信した表示範囲決定手段２４０１は、スピーカー２４００から発せられる音声とその音声の方向に合わせて、前記音声方向の第二の範囲を、第一の範囲に切り替える。（Ｓ８０７）。
【０１５２】
表示手段２３は、切替後の第一の範囲および第二の範囲を考慮して表示手段２３の所定の表示面に映像表示を行う（Ｓ８０８）。
【０１５３】
例えば、図２６のように、表示手段７０３の左右にひとつずつ左スピーカー２４００Ａおよび右スピーカー２４００Ｂを設けた表示装置２６０において、視聴者７１が表示手段７０３の左側方向を向いている場合を考える。この場合、表示装置２３の表示面のうち、視聴者７１の左側あたる第一の範囲９０に映像表示が行われる。また、第一の範囲以外の第二の範囲９１は省電力動作している。このとき、図２７のように、右スピーカー２４００Ｂが特徴的な音声２４０２を発したとする。その特徴的な音声２４０２とともに、表示範囲決定手段２４０１は、表示手段７０３のうち、視聴者の右側にあたる部分を第一の範囲９０に切り替え、その他の部分を第二の範囲９１とする。そして、表示手段は切替後の第一および第二の範囲を考慮して映像表示を行う。なお、上記例のようにスピーカー２４００は左右２つ設ける必要はなく、スピーカー２４００は少なくとも１つ以上あればよい。また、スピーカー２４００の設置場所は表示手段７０３の左右に限らない。
【０１５４】
また、スピーカーの設置位置およびスピーカーが発する音、音の大きさなどを適宜変更することで、視聴者を任意の方向に振り向かせ、その方向に映像表示を行うことも可能である。また、本実施形態では、刺激発生手段としてスピーカーの一例を示したが、スピーカーに限定されることはない。例えば、風や熱、冷たさ、においなど人間が知覚できるものを発生させる手段であれば同様の動作を実現することができる。また、異なる複数の刺激発生手段を組合せてもよい。
【０１５５】
本実施形態において、表示装置は、さらにスピーカーを有する。解析手段は、撮像手段が出力した視聴者の画像データのうち、視聴者の眼球部および顔部の画像データを解析し、視線を示す情報を出力する。表示範囲決定手段は、前記解析手段が解析した情報に基づき、表示手段の表示面のうち、視聴者の視線との交点を内部に含む所定の大きさである第一の範囲に映像表示するよう表示範囲を決定し、表示手段を制御する。また、前記第一の範囲以外の第二の範囲を前記第一の範囲よりも少ない電力で動作させるように表示手段を制御する。スピーカーは特徴的な音声を発するとともに、表示範囲決定手段に表示範囲を切り替えるための信号を送信する。その信号を受信した表示範囲決定手段は、スピーカー発せられる音声とその音声方向に合わせて、第一の範囲と第二の範囲とを切り替える。
【０１５６】
従って、本実施形態によれば、表示装置は、視聴者の視線から定まる第一および第二の範囲に基づいて、映像表示を行う範囲および省電力で動作する範囲を制御し、表示装置に表示される表示を省電力で表示することができる。また、視聴者の視野に合わせて映像表示を行う範囲を決定しているため、視聴者にとって違和感のない映像表示を行う表示装置を提供することができる。
【０１５７】
さらに本実施形態によれば、表示装置は、刺激発生手段から発せられる特徴的な刺激とその方向に合わせて、表示範囲決定手段は映像表示を行う範囲と省電力で動作する範囲とを切り替える。このため、視聴者を刺激発生手段から発せられた刺激方向に振り向かせるとともに、向いた方向を映像表示を行う範囲とすることができ、視聴者は実体験に近い、より臨場感のある映像表示を体験することができる。
【０１５８】
以上、本発明の実施形態を説明したが、本発明は、上記したそれぞれの実施形態に限定されるものではない。本発明は、各実施形態の変形・置換・調整に基づいて実施できる。また、本発明は、各実施形態を任意に組合せて実施することもできる。すなわち、本発明は、本明細書の全ての開示内容、技術的思想に従って実現できる各種変形、修正を含む。なお、各図面に付記した図面参照符号は、理解を助けるための一例として各要素に便宜上付記したものであり、本発明を図示の態様に限定することを意図するものではない。
【０１５９】
上記の実施形態の一部又は全部は、以下の付記のようにも記載されうるが、以下には限られない。
【０１６０】
（付記１）
映像を所定の表示面に表示する表示手段と、
前記表示手段の前に位置する人物を撮像して生成した画像データを出力する撮像手段と、
前記画像データから求めた前記人物の視線を示す情報を出力する解析手段と、
前記表示面のうち、前記人物の視線との交点を内部に含む所定の大きさである第一の範囲に映像表示するよう前記表示手段を制御し、前記第一の範囲以外の第二の範囲を前記第一の範囲よりも少ない電力で動作させるよう前記表示手段を制御する表示範囲決定手段と、
を有する表示装置。
【０１６１】
（付記２）
前記解析手段は、前記人物の眼球部の画像データを解析し、前記人物の眼球の方向を解析することを特徴とする付記１に記載の表示装置。
【０１６２】
（付記３）
前記解析手段は、前記人物の顔部の画像データを解析し、前記人物の顔の方向を解析することを特徴とする付記１または２に記載の表示装置。
【０１６３】
（付記４）
前記解析手段は、前記人物の眼球部の画像データを所定の領域に分け、前記人物の眼球部の画像データの黒目を境にした白目の領域数から前記人物の眼球の方向を解析することを特徴とする付記１乃至３のいずれかに記載の表示装置。
【０１６４】
（付記５）
前記解析手段は、前記人物の顔部の画像データを所定の領域に分け、前記人物の顔部の画像データの鼻を境にした顔面の領域数から前記人物の顔の方向を解析することを特徴とする付記１乃至４のいずれかに記載の表示装置。
【０１６５】
（付記６）
前記解析手段は、前記人物が選択した顔の部分を解析することを特徴とする付記１乃至５のいずれかに記載の表示装置。
【０１６６】
（付記７）
前記表示手段は、前記人物を取り囲む形状であることを特徴とする付記１乃至６のいずれかに記載の表示装置。
【０１６７】
（付記８）
前記人物の前記第一の範囲、前記第二の範囲および前記人物の顔情報を記憶する記憶手段を有し、前記表示範囲決定手段は、前記記憶された情報に基づいて前記表示手段を制御することを特徴とする付記１乃至７のいずれかに記載の表示装置。
【０１６８】
（付記９）
前記人物の位置を検出する重量センサを有し、前記表示範囲決定手段は、前記重量センサより得られる前記人物の位置情報に基づいて前記表示手段の第一の範囲および前記第二の範囲を制御することを特徴とする付記１乃至８のいずれかに記載の表示装置。
【０１６９】
（付記１０）
刺激発生手段を有し、前記表示範囲決定手段は、前記刺激発生手段が発生する刺激に合わせて、前記第一の範囲と前記第二の範囲とを切り替えることを特徴とする付記１乃至９のいずれかに記載の表示装置。
【０１７０】
（付記１１）
映像を所定の表示面に表示する表示ステップと、
人物を撮像して生成した画像データを出力する撮像ステップと、
前記画像データから求めた前記人物の視線を示す情報を出力する解析ステップと、
前記表示面のうち、前記人物の視線との交点を内部に含む所定の大きさである第一の範囲に映像表示するよう制御し、前記第一の範囲以外の第二の範囲を前記第一の範囲よりも少ない電力で動作させるよう制御する表示範囲決定ステップと、
を有する表示方法。
【０１７１】
（付記１２）
前記解析ステップは、前記人物の眼球部の画像データを解析し前記人物の眼球の方向を解析することを特徴とする付記１１に記載の表示方法。
【０１７２】
（付記１３）
前記解析ステップは、前記人物の顔部の画像データを解析し前記人物の顔の方向を解析することを特徴とする付記１１または１２に記載の表示方法。
【０１７３】
（付記１４）
前記解析ステップは、前記人物の眼球部の画像データを所定の領域に分け、前記人物の眼球部の画像データの黒目を境にした白目の領域数から前記人物の眼球の方向を解析することを特徴とする付記１１乃至１３のいずれかに記載の表示方法。
【０１７４】
（付記１５）
前記解析ステップは、前記人物の顔部の画像データを所定の領域に分け、前記人物の顔部の画像データの鼻を境にした顔面の領域数から前記人物の顔の方向を解析することを特徴とする付記１１乃至１４のいずれかに記載の表示方法。
【０１７５】
（付記１６）
前記解析ステップは、前記人物が選択した顔の部分を解析することを特徴とする付記１１乃至１５のいずれかに記載の表示方法。
【０１７６】
（付記１７）
前記人物の前記第一の範囲、前記第二の範囲および前記人物の顔情報を記憶する記憶ステップを有し、前記表示範囲決定ステップは、前記記憶された情報に基づいて前記所定の表示面を制御することを特徴とする付記１１乃至１６のいずれかに記載の表示方法。
【０１７７】
（付記１８）
前記表示範囲決定ステップは、前記人物の位置情報に基づいて前記第一の範囲および前記第二の範囲を制御することを特徴とする付記１１乃至１７のいずれかに記載の表示方法。
【０１７８】
（付記１９）
前記表示範囲決定ステップは、発生する刺激に合わせて、前記第一の範囲と前記第二の範囲とを切り替えることを特徴とする付記１１乃至１８のいずれかに記載の表示方法。
【０１７９】
（付記２０）
映像を所定の表示面に表示する表示処理と、
人物を撮像して生成した画像データを出力する撮像処理と、
前記画像データから求めた前記人物の視線を示す情報を出力する解析処理と、
前記表示面のうち、前記人物の視線との交点を内部に含む所定の大きさである第一の範囲に映像表示するよう制御し、前記第一の範囲以外の第二の範囲を前記第一の範囲よりも少ない電力で動作させるよう制御する表示範囲決定処理と、
をコンピュータに実行させる表示プログラム。
【０１８０】
（付記２１）
前記解析処理は、前記人物の眼球部の画像データを解析し前記人物の眼球の方向を解析することを特徴とする付記２０に記載の表示プログラム。
【０１８１】
（付記２２）
前記解析処理は、前記人物の顔部の画像データを解析し前記人物の顔の方向を解析することを特徴とする付記２０または２１に記載の表示プログラム。
【０１８２】
（付記２３）
前記解析処理は、前記人物の眼球部の画像データを所定の領域に分け、前記人物の眼球部の画像データの黒目を境にした白目の領域数から前記人物の眼球の方向を解析することを特徴とする付記２０乃至２２のいずれかに記載の表示プログラム。
【０１８３】
（付記２４）
前記解析処理は、前記人物の顔部の画像データを所定の領域に分け、前記人物の顔部の画像データの鼻を境にした顔面の領域数から前記人物の顔の方向を解析することを特徴とする付記２０乃至２３のいずれかに記載の表示プログラム。
【０１８４】
（付記２５）
前記解析処理は、前記人物が選択した顔の部分を解析することを特徴とする付記２０乃至２４のいずれかに記載の表示プログラム。
【０１８５】
（付記２６）
前記人物の前記第一の範囲、前記第二の範囲および前記人物の顔情報を記憶する記憶処理を有し、前記表示範囲決定処理は、前記記憶された情報に基づいて前記所定の表示面を制御することを特徴とする付記２０乃至２５のいずれかに記載の表示プログラム。
【０１８６】
（付記２７）
前記表示範囲決定処理は、前記人物の位置情報に基づいて前記第一の範囲および前記第二の範囲を制御することを特徴とする付記２０乃至２６のいずれかに記載の表示プログラム。
【０１８７】
（付記２８）
前記表示範囲決定処理は、発生する刺激に合わせて、前記第一の範囲と前記第二の範囲とを切り替えることを特徴とする付記２０乃至２７のいずれかに記載の表示プログラム。
【符号の説明】
【０１８８】
１０  人間
１１  色を識別できる視野範囲
１２  文字を識別できる視野範囲
２、７０、１１０、１５０、１７０、２００、２２０、２４０、２６０  表示装置
２０、７００、７００Ａ、７００Ｂ  撮像手段
２１、７０１、１１００、１５００、１７００、２０００  解析手段
２２、７０２、１７０２、２２０１、２４０１  表示範囲決定手段
２３、７０３  表示手段
３  液晶画面
３０  液晶ドット
３１  駆動ライン
４０  赤ドット
７１  視聴者
８０  眼球部
８１  黒目
８２  左の白目
８３  右の白目
９０  第一の範囲
９１  第二の範囲
１２００  顔部
１２０１  鼻
１２０２  鼻を通る中心線
１２０３  顔の左端から鼻までの顔
１２０４  顔の右端から鼻までの顔
１７０１  記憶手段
２２００  重量センサ
２４００、２４００Ａ、２４００Ｂ  スピーカー
２４０２  特徴的な音声
【図１】
2015122711.tif 000003
【図２】
2015122711.tif 000004
【図３】
2015122711.tif 000005
【図４】
2015122711.tif 000006
【図５】
2015122711.tif 000007
【図６】
2015122711.tif 000008
【図７】
2015122711.tif 000009
【図８】
2015122711.tif 000010
【図９】
2015122711.tif 000011
【図１０】
2015122711.tif 000012
【図１１】
2015122711.tif 000013
【図１２】
2015122711.tif 000014
【図１３】
2015122711.tif 000015
【図１４】
2015122711.tif 000016
【図１５】
2015122711.tif 000017
【図１６】
2015122711.tif 000018
【図１７】
2015122711.tif 000019
【図１８】
2015122711.tif 000020
【図１９】
2015122711.tif 000021
【図２０】
2015122711.tif 000022
【図２１】
2015122711.tif 000023
【図２２】
2015122711.tif 000024
【図２３】
2015122711.tif 000025
【図２４】
2015122711.tif 000026
【図２５】
2015122711.tif 000027
【図２６】
2015122711.tif 000028
【図２７】
2015122711.tif 000029